(57)【特許請求の範囲】
【請求項１】
軸に嵌められたバックヨークを有する回転子と、前記バックヨークの軸方向端部に、固定子側の磁気検出素子に相対するように設けた位置検出用マグネットと、前記回転子の両側に設けられた軸受とを有する電動機の回転子組立において、
前記位置検出用マグネットと前記磁気検出素子側の前記軸受とで挟持されるマグネット固定部品を備え、前記位置検出用マグネットと前記磁気検出素子との間隔を所定の距離に保つことを特徴とする電動機の回転子組立。
【請求項２】
前記位置検出用マグネットと前記バックヨークとの間に、該位置検出用マグネットの位置を電動機仕様が変わっても一定にするスペーサを備えたことを特徴とする請求項１記載の電動機の回転子組立。
【請求項３】
前記位置検出用マグネットの前記バックヨークとの当接面に凸部を設け、前記バックヨークの軸方向端部に設けた凹部に嵌合させることを特徴とする請求項１又は請求項２記載の電動機の回転子組立。
【請求項４】
前記スペーサの前記バックヨークとの当接面に凸部を設け、前記バックヨークの軸方向端部に設けた凹部に嵌合させ、前記スペーサと前記位置検出用マグネットが互いに回転しないように構成したことを特徴とする請求項２記載の電動機の回転子組立。
【請求項５】
前記電動機はＤＣ（Direct Current）ブラシレスモータであり、前記バックヨークの外周に回転子のマグネットを配置したことを特徴とする請求項１記載の電動機の回転子組立。
【請求項６】
前記回転子のマグネットにプラスチックマグネットを用いたことを特徴とする請求項５記載の電動機の回転子組立。
【請求項７】
前記回転子のマグネットにプラスチックマグネット以外のマグネットを用いたことを特徴とする請求項５記載の電動機の回転子組立。
【請求項８】
前記電動機は誘導電動機であることを特徴とする請求項１記載の電動機の回転子組立。
【請求項９】
請求項１乃至８の何れかに記載の電動機の回転子組立を使用した電動機を搭載したことを特徴とする送風機。
【請求項１０】
請求項９記載の送風機を使用したことを特徴とする空気調和機。
【発明の詳細な説明】
【０００１】
【発明の属する技術分野】
この発明は、空気調和機等の送風ファンの駆動源として用いられる電動機の回転子組立に関するものである。
【０００２】
【従来の技術】
近年、例えば空気調和機等の送風ファンの駆動用モータなどには、回転数の制御が容易でかつ高効率なＤＣブラシレスモータや誘導電動機が多く使用されている。
【０００３】
図２は従来の永久磁石を使用したＤＣブラシレスモータの回転子組立を示す断面図である。図において、１は回転子、２は中心に軸孔を有するバックヨーク、３はこのバックヨーク２の外周面に設けられた回転子のマグネット、４はバックヨーク２の軸方向端部に当接するように固定された位置検出用マグネット、５はバックヨーク２の軸孔に圧入等で嵌められる軸、６は回転子１の両側に設けられ、軸５に圧入される軸受、７は軸受用止め輪、１０は固定子１１側の位置検出用マグネット４に相対する位置に設けられたホールＩＣ（Integrated Circuit）、１２はモールド樹脂、１３はＤＣブラシレスモータである。
【０００４】
上記のように構成された従来の永久磁石を使用したＤＣブラシレスモータの回転子組立において、位置検出用マグネット４とホールＩＣとの距離は、バックヨーク２の位置、位置検出用マグネット４の厚み、軸受用止め輪７の位置の集積誤差により決まる。
【０００５】
【発明が解決しようとする課題】
従来の永久磁石を使用したＤＣブラシレスモータの回転子組立は上記のように構成されているので、位置検出用マグネット４とホールＩＣとの距離がばらつくため、回転子１の位置検出精度が悪く、検出不良が発生する恐れがあった。
【０００６】
また、位置検出用マグネット４とホールＩＣとの距離を大きく設定して、位置検出用マグネット４の磁力を強くすることで、改善することもできるが、コストアップにつながる。
【０００７】
この発明は、上記のような問題点を解決するためになされたもので、位置検出用マグネットと磁気検出素子との距離を精度良く組立ることができ、回転子の位置を精度良く検出して、制御性及び性能を改善した電動機の回転子組立及び送風機及び空気調和機を提供することを目的とする。
【０００８】
【課題を解決するための手段】
この発明に係る電動機の回転子組立は、軸に嵌められたバックヨークを有する回転子と、バックヨークの軸方向端部に、固定子側の磁気検出素子に相対するように設けた位置検出用マグネットと、回転子の両側に設けられた軸受とを有する電動機の回転子組立において、位置検出用マグネットと磁気検出素子側の軸受とで挟持されるマグネット固定部品を備え、位置検出用マグネットと前記磁気検出素子との間隔を所定の距離に保つことを特徴とする。
【０００９】
また、この発明に係る電動機の回転子組立は、位置検出用マグネットとバックヨークとの間に、位置検出用マグネットの位置を電動機仕様が変わっても一定にするスペーサを備えたことを特徴とする。
【００１０】
また、この発明に係る電動機の回転子組立は、位置検出用マグネットのバックヨークとの当接面に凸部を設け、バックヨークの軸方向端部に設けた凹部に嵌合させることを特徴とする。
【００１１】
また、この発明に係る電動機の回転子組立は、スペーサのバックヨークとの当接面に凸部を設け、バックヨークの軸方向端部に設けた凹部に嵌合させ、スペーサと位置検出用マグネットを互いに回転しないように構成したことを特徴とする。
【００１２】
また、この発明に係る電動機の回転子組立は、電動機はＤＣブラシレスモータであり、バックヨークの外周に回転子のマグネットを配置したことを特徴とする。
【００１３】
また、この発明に係る電動機の回転子組立は、回転子のマグネットにプラスチックマグネットを用いたことを特徴とする。
【００１４】
また、この発明に係る電動機の回転子組立は、回転子のマグネットにプラスチックマグネット以外のマグネットを用いたことを特徴とする。
【００１５】
また、この発明に係る電動機の回転子組立は、電動機は誘導電動機であることを特徴とする。
【００１６】
この発明に係る送風機は、請求項１乃至８の何れかに記載の電動機の回転子組立を使用した電動機を搭載したことを特徴とする。
【００１７】
この発明に係る空気調和機は、請求項９記載の送風機を使用したことを特徴とする。
【００１８】
【発明の実施の形態】
以下、この発明の実施の形態を図に基づいて説明する。
実施の形態１．
図１は実施の形態１を示す図で、永久磁石を使用したＤＣブラシレスモータの回転子組立を示す断面図である。図において、１は回転子、２は中心に軸孔を有するバックヨーク、３はこのバックヨーク２の外周面に設けられた回転子のマグネットで、プラスチックマグネットを使用している。４は位置検出用マグネット、５はバックヨーク２の軸孔に圧入等で嵌められる軸、６は回転子１の両側に設けられ、軸５に圧入される軸受、７は軸受用止め輪、８は軸５に嵌合され、位置検出用マグネット４に嵌め合わされたマグネット固定部品で、位置検出用マグネット４をバックヨーク２の軸方向端部に当接固定する。マグネット固定部品８の位置検出用マグネット４側と反対側の端部に一方の軸受６を当接させる。
【００１９】
９はバックヨーク２の軸方向端部と位置検出用マグネット４との間に設けられるスペーサである。１０は固定子１１側の位置検出用マグネット４に相対する位置に設けられた磁気検出素子の一例のホールＩＣ、１２はモールド樹脂、１３はＤＣブラシレスモータである。
【００２０】
また、位置検出用マグネット４をバックヨーク２の軸方向端部に当接固定する一つの手段として、位置検出用マグネット４のバックヨーク２との当接面に凸部を設け、バックヨーク２の軸方向端部に設けた凹部に嵌合させている。言うまでもなく、その他の方法により、位置検出用マグネット４をバックヨーク２の軸方向端部に当接固定してもよい。
【００２１】
バックヨーク２の軸方向端部と位置検出用マグネット４との間に設けられるスペーサ９は、必ずしも使用しなくてもよい。
【００２２】
また、スペーサ９を用いる場合は、スペーサ９のバックヨーク２との当接面に凸部を設け、バックヨーク２の軸方向端部に設けた凹部に嵌合させてもよい。この場合は、マグネット固定部品８がスペーサ９及び位置検出用マグネット４と互いに回転しないように嵌め合わされる。
【００２３】
上記のように構成されたＤＣブラシレスモータの回転子組立おいて、位置検出用マグネット４とホールＩＣとの距離は、マグネット固定部品８の長さで決まるので、位置検出用マグネット４とホールＩＣとの距離を精度良く組立ることができる。これにより、回転子１の位置検出不良を少なくして、回転子１の位置を精度良く検出することができるので、ＤＣブラシレスモータの制御性及び性能の向上を図ることができる。
【００２４】
また、バックヨーク２の軸方向端部と位置検出用マグネット４との間にスペーサ９を設けることにより、位置検出用マグネットの位置を可変にすることができ、モータの仕様変更に柔軟に対応できる。
【００２５】
また、位置検出用マグネット４のバックヨーク２との当接面に凸部を設け、バックヨーク２の軸方向端部に設けた凹部に嵌合させることにより、位置検出用マグネット４の回り止めとなり、バックヨーク２との回転のずれが生じない。
【００２６】
また、スペーサ９のバックヨーク２との当接面に凸部を設け、バックヨーク２の軸方向端部に設けた凹部に嵌合させることでも、マグネット固定部品８を介して位置検出用マグネット４の回り止めとなり、バックヨーク２との回転のずれが生じない。
【００２７】
上述の実施の形態では、回転子のマグネット３にプラスチックマグネットを使用しているものを示したが、これに限られたものではなく、例えばフェライトの焼結磁石、希土類磁石等でもよい。
【００２８】
上述の実施の形態では、磁気検出素子としてホールＩＣ１０を用いたものを示したが、その他のものでもよい。
【００２９】
上述の実施の形態では、ＤＣブラシレスモータを例として説明したが、この発明はＤＣブラシレスモータ以外にも、例えば誘導電動機にも適用される。
【００３０】
上述の実施の形態に示した回転子組立を使用したＤＣブラシレスモータ又は誘導電動機を送風機に搭載すれば、送風機の制御性及び性能の向上を図ることができる。
【００３１】
また、上述のＤＣブラシレスモータ又は誘導電動機を搭載した送風機を空気調和機に使用すれば、空気調和機の制御性及び性能の向上を図ることができる。
【００３２】
【発明の効果】
この発明に係る電動機の回転子組立は、位置検出用マグネットと磁気検出素子側の軸受とで挟持されるマグネット固定部品を備え、位置検出用マグネットと前記磁気検出素子との間隔を所定の距離に保つことにより、位置検出用マグネットと磁気検出素子との距離を精度良く組立ることができ、回転子の位置検出不良を少なくして、回転子の位置を精度良く検出することができるので、電動機の制御性及び性能の向上を図ることができる。
【００３３】
また、この発明に係る電動機の回転子組立は、位置検出用マグネットとバックヨークとの間に、位置検出用マグネットの位置を電動機仕様が変わっても一定にするスペーサを備えたことにより、位置検出用マグネットの位置を可変にすることができ、モータの仕様変更に柔軟に対応できる。
【００３４】
また、この発明に係る電動機の回転子組立は、位置検出用マグネットのバックヨークとの当接面に凸部を設け、バックヨークの軸方向端部に設けた凹部に嵌合させることにより、位置検出用マグネットの回り止めとなり、バックヨークとの回転のずれが生じない。
【００３５】
また、この発明に係る電動機の回転子組立は、スペーサのバックヨークとの当接面に凸部を設け、バックヨークの軸方向端部に設けた凹部に嵌合させ、スペーサと位置検出用マグネットが互いに回転しないように構成したことにより、位置検出用マグネットの回り止めとなり、バックヨークとの回転のずれが生じない。
【００３６】
また、この発明に係る電動機の回転子組立は、電動機はＤＣブラシレスモータであることにより、ＤＣブラシレスモータの制御性及び性能の向上を図ることができる。
【００３７】
また、この発明に係る電動機の回転子組立は、電動機が誘導電動機であることにより、誘導電動機の制御性及び性能の向上を図ることができる。
【００３８】
この発明に係る送風機は、請求項１乃至８の何れかに記載の電動機の回転子組立を使用した電動機を搭載したことにより、送風機の制御性及び性能の向上を図ることができる。
【００３９】
この発明に係る空気調和機は、請求項９記載の送風機を使用したことにより、空気調和機の制御性及び性能の向上を図ることができる。
【図面の簡単な説明】
【図１】  実施の形態１を示す図で、永久磁石を使用したＤＣブラシレスモータを示す断面図である。
【図２】  従来の永久磁石を使用したＤＣブラシレスモータを示す断面図である。
【符号の説明】
１  回転子、２  バックヨーク、３  回転子のマグネット、４  位置検出用マグネット、５  軸、６  軸受、７  軸受用止め輪、８  マグネット固定部品、９スペーサ、１０  ホールＩＣ，１１  固定子、１２  モールド樹脂、１３  ＤＣブラシレスモータ。
【図１】
0003768846.tif 000002
【図２】
0003768846.tif 000003